(57)【要約】【課題】毛髪の過乾燥をより確実に抑制することのできる髪ケア装置を得る。【解決手段】髪ケア装置１は、送風部５および加熱部６のそれぞれの出力を制御する制御部８と、送風流路２１の下流側に設けられ使用者の毛髪Ｈに接触して毛髪の摩擦係数を検知する摩擦センサ１０と、を備えている。そして、制御部８は、摩擦センサ１０で検知した摩擦係数μに応じて、送風部５の出力および加熱部６の出力のうち少なくともいずれか一方を変更するように制御している。【選択図】図３
2012239615.tif 000002
【特許請求の範囲】
【請求項１】
ハウジング内の送風流路に配設される送風部と、
前記送風部よりも下流側に配設されて送風流路内の風を加熱する加熱部と、
前記送風部および前記加熱部のそれぞれの出力を制御する制御部と、
前記送風流路の下流側に設けられ使用者の毛髪に接触して毛髪の摩擦係数を検知する検知手段と、
を備え、
前記制御部は、前記検知手段で検知した摩擦係数に応じて、前記送風部および前記加熱部のうち少なくともいずれか一方の出力を変更するように制御することを特徴とする髪ケア装置。
【請求項２】
前記制御部は、前記髪ケア装置の使用時に前記検知手段により検知した摩擦係数が、前記髪ケア装置の使用開始時に前記検知手段により検知した摩擦係数に対して所定の比率に達した際に、前記送風部の出力および前記加熱部の出力を停止するように制御することを特徴とする請求項１に記載の髪ケア装置。
【請求項３】
前記制御部は、前記髪ケア装置の使用時に前記検知手段により検知した摩擦係数が、前記髪ケア装置の使用開始時に前記検知手段により検知した摩擦係数に対して所定の比率に達した際に、前記加熱部の出力を先行して停止し、当該加熱部の出力が停止して所定の時間が経過した際に、前記送風部の出力を停止するように制御することを特徴とする請求項１に記載の髪ケア装置。
【請求項４】
前記制御部は、前記送風部および前記加熱部のうち少なくともいずれか一方の出力を徐々に変更するように制御することを特徴とする請求項１〜３のうちいずれか１項に記載の髪ケア装置。
【請求項５】
前記制御部は、前記検知手段が摩擦係数を検知しない場合に、前記送風部の出力と前記加熱部の出力とを停止するように制御することを特徴とする請求項１〜４のうちいずれか１項に記載の髪ケア装置。
【請求項６】
前記制御部は、前記検知手段が摩擦係数を所定の時間検知しない場合に、前記送風部の出力と前記加熱部の出力とを停止するように制御することを特徴とする請求項５に記載の髪ケア装置。
【請求項７】
前記送風流路の下流側にブリスルを設け、当該ブリスルに、毛髪を保持する保持部材を設けたことを特徴とする請求項１〜６のうちいずれか１項に記載の髪ケア装置。
【発明の詳細な説明】
【技術分野】
【０００１】
本発明は、髪ケア装置に関する。
【背景技術】
【０００２】
従来、髪ケア装置として、ブリスルを複数突設したブラシ帯を一対のローラに周回させ、当該ブラシ帯をモータ駆動により回転させることで、毛髪を梳くようにしたものが知られている（例えば、特許文献１参照）。
【０００３】
この特許文献１では、ヘアーブラシに、モータの過負荷状態を検知してモータを停止する過負荷センサを設けている。そして、毛髪がブラシ帯に絡まったりしてモータが過負荷状態となった際にモータを停止させ、ブラシ帯の回転を止めることで、毛髪が強制的に巻き込まれてしまうのを抑制している。
【先行技術文献】
【特許文献】
【０００４】
【特許文献１】特開平９−２４８２１５号公報
【発明の概要】
【発明が解決しようとする課題】
【０００５】
しかしながら、上記従来の技術は、モータに掛かる一時的な力を過負荷センサが検知することで、ブラシ帯の回転を止めるようにしたものである。そのため、毛髪に水分が付着していた場合であっても毛髪が乾燥していた場合であっても、毛髪がブラシ帯に絡まったりしてモータが過負荷状態となった際には、ブラシ帯の回転が止まってしまう。また、毛髪が過乾燥の状態であったとしても、モータが過負荷状態にならなければ、ブラシ帯は回転したままである。このように、上記従来の技術では、毛髪の過乾燥を確実に抑制することができなかった。
【０００６】
そこで、本発明は、毛髪の過乾燥をより確実に抑制することのできる髪ケア装置を得ることを目的とする。
【課題を解決するための手段】
【０００７】
本発明の髪ケア装置にあっては、ハウジング内の送風流路に配設される送風部と、前記送風部よりも下流側に配設されて送風流路内の風を加熱する加熱部と、前記送風部および前記加熱部のそれぞれの出力を制御する制御部と、前記送風流路の下流側に設けられ使用者の毛髪に接触して毛髪の摩擦係数を検知する検知手段と、を備え、前記制御部は、前記検知手段で検知した摩擦係数に応じて、前記送風部および前記加熱部のうち少なくともいずれか一方の出力を変更するように制御することを主要な特徴とする。
【発明の効果】
【０００８】
本発明によれば、髪ケア装置の制御部が、検知手段で検知した毛髪の摩擦係数に応じて送風部および加熱部のうち少なくともいずれか一方の出力を変更するように制御している。このように、毛髪の乾燥状態の指標となる毛髪の摩擦係数に基づいて送風部や加熱部の出力を変更させることで、毛髪の過乾燥をより確実に抑制することができるようになる。
【図面の簡単な説明】
【０００９】
【図１】図１は、本発明の第１実施形態にかかる髪ケア装置の正面図である。
【図２】図２は、本発明の第１実施形態にかかる髪ケア装置の使用状態を示す図である。
【図３】図３は、本発明の第１実施形態にかかる制御部による送風部や加熱部の制御方法を示すフローチャートである。
【図４】図４は、本発明の第１実施形態にかかる制御部による送風部や加熱部の出力変化方法を示すタイミングチャートである。
【図５】図５は、本発明の第１実施形態にかかる制御部による送風部や加熱部の制御方法を示すより詳細なフローチャートである。
【図６】図６は、湿度と毛髪との関係の実験結果を示すグラフであって、（ａ）は湿度と毛髪の重量との関係を示すグラフ、（ｂ）は湿度と摩擦値との関係を示すグラフである。
【図７】図７は、本発明の第１実施形態の変形例にかかる髪ケア装置を示す側面図である。
【図８】図８は、本発明の第２実施形態にかかる制御部による送風部や加熱部の制御方法を示すフローチャートである。
【図９】図９は、本発明の第２実施形態にかかる制御部による送風部や加熱部の出力変化方法を示すタイミングチャートである。
【図１０】図１０は、本発明の第３実施形態にかかる制御部による送風部や加熱部の出力変化方法を示すタイミングチャートである。
【図１１】図１１は、本発明の第４実施形態にかかる制御部による送風部や加熱部の制御方法を示すフローチャートである。
【図１２】図１２は、本発明の第４実施形態にかかる制御部による送風部や加熱部の出力変化方法を示すタイミングチャートである。
【図１３】図１３は、本発明の第５実施形態にかかる制御部による送風部や加熱部の制御方法を示すフローチャートである。
【図１４】図１４は、本発明の第５実施形態にかかる制御部による送風部や加熱部の出力変化方法を示すタイミングチャートである。
【図１５】図１５は、本発明の第６実施形態にかかる髪ケア装置を示す図であって、（ａ）は保持部材の初期状態におけるブラシ部分の断面図、（ｂ）は保持部材の使用状態におけるブラシ部分の断面図である。
【図１６】図１６は、本発明の第６実施形態の変形例にかかる髪ケア装置を示す図であって、（ａ）は保持部材の初期状態における髪ケア装置の断面図、（ｂ）は保持部材の使用状態における髪ケア装置の断面図である。
【発明を実施するための形態】
【００１０】
以下、本発明の実施形態について図面を参照しつつ詳細に説明する。なお、以下の複数の実施形態には、同様の構成要素が含まれている。よって、以下では、それら同様の構成要素には共通の符号を付与するとともに、重複する説明を省略する。
【００１１】
（第１実施形態）
本実施形態にかかるヘアーブラシ（髪ケア装置）１は、内部が空洞状となるように形成されたハウジング２を有しており、このハウジング２の空洞内部に送風流路２１が形成されている。また、ハウジング２の基端部が把持部３となっており、先端部がブラシ部４となっている。
【００１２】
把持部３の端末部にはネット状の吸気口２２が形成されており、ブラシ部４には送風口２３が形成されている。そして吸気口２２および送風口２３は、ハウジング２内部の送風流路２１と連通している。また、把持部３の端末部には電源コードＣが延設されている。
【００１３】
本実施形態では、ブラシ部４には、毛髪を梳くために複数のブリスル４１が突設されており、複数のブリスル４１の根本間に小孔を形成することで、ブラシ部４に送風口２３を形成している。
【００１４】
そして、本実施形態にかかるヘアーブラシ１を用いて毛髪Ｈを施術する際には、図２に示すように、毛髪Ｈをブリスル４１の根本近傍まで巻き込んで梳いていくことになる。
【００１５】
また、送風流路２１の上流側、すなわち、吸気口２２に近い側には、ファン５１とモータ５２とを備える送風部５が配置されている。また、送風部５の下流側、すなわち、送風流路２１の送風部５よりもブラシ部４に近い側には、第１ヒータ６１と第２ヒータ６２とを有する加熱部６が配置されている。
【００１６】
そして、把持部３の側面には、スイッチ７が設けられている。このスイッチ７を操作して電源をＯＮにすると、図示せぬコンセントを介してヘアーブラシ１に給電されて、送風部５のモータ５２が駆動してファン５１が回転し、吸気口２２から送風流路２１内に空気が取り込まれる。また、電源をＯＮにすると、加熱部６のヒータ６１、６２のうち少なくともいずれか一方（本実施形態では、ヒータ６１、６２の両方）が発熱して、送風部５から送られてくる空気が加熱される。そして、加熱された空気が温風となってブラシ部４の送風口２３からブリスル４１間に吹き出す。
【００１７】
そして、施術中の毛髪Ｈ（図２参照）に、送風口２３からブリスル４１間に吹き出す温風を当てることで毛髪Ｈを乾燥させるようにしている。
【００１８】
さらに、本実施形態では、ハウジング２の空洞部内に、送風部５および加熱部６のそれぞれの出力を制御する制御部８が設けられている。この制御部８は、送風部５（モータ５２）のＯＮ・ＯＦＦのタイミング、および加熱部６（第１ヒータ５１および第２ヒータ５２）のＯＮ・ＯＦＦのタイミングを制御するようになっている。なお、本実施形態では、制御部８や後述するタイマー８１等の電子部品は、送風流路２１における送風部５および加熱部６が配置される空間とは画成された空間に配置されている。すなわち、制御部８やタイマー８１等の電子部品と送風部５および加熱部６とが仕切板９によって仕切られている。
【００１９】
また、毛髪Ｈを施術する際に送風流路２１の下流側で使用者の毛髪Ｈに接触する部分（本実施形態ではブリスル４１の側面）には、毛髪の摩擦係数を検知する検知手段としての摩擦センサ１０が設けられている。なお、ブリスル４１の設置面４ａに摩擦センサ１０を取り付けるようにしてもよい。
【００２０】
摩擦センサ１０としては、シリコンの接触子を設け、この接触子にかかる力の変化で摩擦係数μを検知する構造のものを用いることができる。なお、摩擦センサ１０の構造は、上述の構造に限ることなく、毛髪の滑り抵抗を検知できる手段であればよい。例えば、シリコンに代えて光ファイバーやピエゾ抵抗素子等を用いて構成することも可能である。
【００２１】
ここで、本実施形態では、摩擦センサ１０で検知した摩擦係数の値を制御部８に取り込み、所定時間計測した摩擦係数から平均摩擦係数を求め、この平均摩擦係数を指標として用いるようにした。そして、制御部８が、平均摩擦係数に応じて送風部５の出力および加熱部６の出力のうち少なくともいずれか一方を減少方向に変更するように制御するようにした。本実施形態では、送風部５および加熱部６両方の出力を最終的にＯＦＦにして、温風の吹き出しを停止するようにしている。
【００２２】
具体的には、以下のような制御がなされるようにしている。
【００２３】
まず、使用者が毛髪Ｈの施術を行うために電源をＯＮにし、送風部５と加熱部６および摩擦センサ１０に給電する。その後、最初の数秒間の摩擦係数μから施術初期の平均摩擦係数μ０を求める。そして、この平均摩擦係数μ０を測定してから数秒後から送風部５と加熱部６の出力を変更するための制御を開始する。なお、送風部５、加熱部６および摩擦センサ１０への給電から送風部５と加熱部６の出力を変更するための制御開始までの初期設定時間は１０秒程度が好ましい。
【００２４】
その後、摩擦センサ１０は随時、好ましくは３秒に１回程度、毛髪Ｈの現在の施術時の平均摩擦係数μＮの検知を行う。そして、制御部８は、平均摩擦係数μＮが初期の平均摩擦係数μ０に対する所定の比率Ｘに達した場合に、送風部５および加熱部６の出力（送風部５の出力および加熱部６の出力のうち少なくともいずれか一方）を変更する。なお、所定の比率Ｘは、３分の１から２分の１が好ましく、より好ましくは８分の５程度である。
【００２５】
次に、制御部８による送風部５や加熱部６の制御方法の一例を、図３のフローチャートに基づいて説明する。
【００２６】
まず、スイッチ７を操作して電源をＯＮにする（ステップＳ１）。すると、送風部５および加熱部６がＯＮになり送風口２３から温風が吹き出す。また、タイマー８１をスタート（ｔ＝０）させ、摩擦センサ１０で計測した摩擦係数μを読み込む（ステップＳ２）。
【００２７】
次に、タイマー８１のカウント値が１０秒を経過したかどうかを判断し（ステップＳ３）、１０秒以上（ｔ≧１０）となったときは、初期の平均摩擦係数μ０と現在の施術時の平均摩擦係数μＮとを演算する（ステップＳ４）。なお、本実施形態では、タイマー８１のカウント値を１０秒としたが、これに限ることなく送風量や加熱量、さらには外気温や湿度が変化する季節に応じてカウント値を最適となるように変更することもできる。
【００２８】
そして、施術初期の平均摩擦係数μ０と現在の施術時の平均摩擦係数μＮとの比率、つまり、施術時の平均摩擦係数μＮを施術初期の平均摩擦係数μ０で除した値が、予め設定した所定の比率Ｘ以下となったかどうかを判断する（ステップＳ５）。この比率が所定の比率Ｘ以下となった場合（ＹＥＳ）は、送風部５および加熱部６の両者の出力をＯＦＦにして温風の吹き出しを停止する（ステップＳ６）。なお、所定の比率Ｘに達していない場合（ＮＯ）はステップＳ４へとリターンする。このときには、初期の平均摩擦係数μ０と現在の施術時の平均摩擦係数μＮのうち現在の施術時の平均摩擦係数μＮのみ演算することとなる。
【００２９】
ところで、本実施形態では、上記フローチャートのステップＳ６において、送風部５および加熱部６を停止する際、両者をいきなりＯＦＦにするのではなく、図４に示すように緻密な制御が行われるようにしている。
【００３０】
すなわち、図４のタイミングチャートに示すように、ヘアーブラシ１のスイッチ７をＯＮにした時点をＴ０秒とすると、その後（Ｔ０＋１０）秒の間で施術初期の平均摩擦係数μ０を求め、その後、施術時の平均摩擦係数μＮの演算を開始するようにしている。
【００３１】
そして、Ｔ１秒後にμ０に対するμＮの比率Ｘが（６／８）μ０となった時点で、加熱部６のうち第２ヒータ６２（第１ヒータ６１でもよい）のみをＯＦＦにし、送風部５はＯＮ・ＯＦＦを所定時間毎に繰り返すデューティ制御を行う。これにより、加熱部６の発熱量および送風量が減少して温風の吹き出し量が減少し、毛髪Ｈの乾燥をより確実に抑制できるようにしている。
【００３２】
そして、この状態でさらに毛髪Ｈの乾燥が促進して、Ｔ２秒後にμ０に対するμＮの比率Ｘが（５／８）μ０となった際には、その時点で残りの第１ヒータ６１および送風部５を完全にＯＦＦにし、温風の吹き出しを停止する。このとき、先行して第１ヒータ６１をＯＦＦにした場合は、残りの加熱部６は第２ヒータ６２となる。
【００３３】
すなわち、本実施形態では、詳細には、図５のフローチャートに示すような制御が制御部８にて行われている。
【００３４】
具体的には、施術初期の平均摩擦係数μ０と現在の施術時の平均摩擦係数μＮとの比率が、予め設定した所定の比率Ｘ１（（６／８）μ０）以下となったかどうかを判断する（ステップＳ５）。この比率が所定の比率Ｘ１以下となった場合（ＹＥＳ）は、加熱部６のうち第２ヒータ６２のみをＯＦＦにし、送風部５はＯＮ・ＯＦＦを所定時間毎に繰り返すデューティ制御を行う（ステップＳ６）。なお、所定の比率Ｘに達していない場合（ＮＯ）は、ステップＳ４へとリターンする。このときには、初期の平均摩擦係数μ０と現在の施術時の平均摩擦係数μＮのうち現在の施術時の平均摩擦係数μＮのみ演算することとなる。
【００３５】
そして、施術初期の平均摩擦係数μ０と現在の施術時の平均摩擦係数μＮとの比率が、予め設定した所定の比率Ｘ１以下となった場合、現在の施術時の平均摩擦係数μＮを演算する（ステップＳ７）。そして、施術初期の平均摩擦係数μ０と現在の施術時の平均摩擦係数μＮとの比率が、予め設定した所定の比率Ｘ２（（５／８）μ０）以下かどうかを判断する（ステップＳ８）。この比率が所定の比率Ｘ２以下となった場合（ＹＥＳ）は、送風部５および加熱部６（第１ヒータ６１）の両者の出力をＯＦＦにして温風の吹き出しを停止する（ステップＳ９）。なお、所定の比率Ｘ２に達していない場合（ＮＯ）はステップＳ７へとリターンする。
【００３６】
このように、第１、第２ヒータ６１、６２および送風部５をＯＦＦにすることで、ヘアーブラシ１から温風が吹き出すことがなくなるため、ブリスル４１で毛髪Ｈを梳く際に毛髪Ｈがそれ以上乾燥してしまうのが抑制される。なお、μ０に対するμＮの比率Ｘは、施術後の毛髪Ｈに含まれる水分量がキューティクルを密着するのに最適な量となるように予め設定している。
【００３７】
ところで、ブリスルに水分センサを設置して毛髪の水分率値を測定し、測定した水分率に基づいて、最適乾燥セットや毛髪の過乾燥を抑制できるように制御する髪ケア装置が従来より公知である。
【００３８】
しかしながら、かかる髪ケア装置では、乾燥セット前に毛髪の表面に付着しているかもしれない過剰な水分をも検知してしまう可能性や、キューティクルの開閉状態など正確な毛髪状態を検知することができないという問題があった。
【００３９】
ここで、毛髪の水分量を指標として用いても、キューティクルの開閉状態など正確な毛髪状態を検知することができないものであることを、図６（ａ）、（ｂ）の実験例に基づき説明する。
【００４０】
図６には、温度が２５゜Ｃで、実験しようとする湿度に設定した恒温恒湿の室内に毛髪束を一日放置した後の毛髪束を用いて実験した結果を示している。図６（ａ）は、湿度を横軸、毛髪束の重量を縦軸にとってグラフで示したものである。また、図６（ｂ）は、湿度を横軸、毛髪の摩擦値（毛髪がシリコン上を滑る際に生じる摩擦力の値）を縦軸にとってグラフで示したものである。すなわち、図６（ｂ）には、湿度と毛髪の平均摩擦係数（摩擦値）との関係が示されている。なお、湿度は、３０パーセント、４０パーセント、５０パーセント、８０パーセント（ＲＨ）でそれぞれ実験した。また、重量の測定にはＳＨＩＭＺＵ（社名）製の電子天秤を使用し、摩擦値の検知にはカトーテック（社名）製の摩擦感テスターを使用した。
【００４１】
まず、図６（ａ）を見ると、湿度が高くなるにしたがって毛髪束の重量（毛髪に含まれる水分量）が重くなっていることが理解される。
【００４２】
一方、図６（ｂ）を見ると、湿度４０パーセントのときの平均摩擦係数（摩擦値）が最も低く、その４０パーセントを境にして湿度が低くなる場合と高くなる場合に平均摩擦係数（摩擦値）が高くなっていることが理解される。このことから平均摩擦係数が最も低くなる湿度４０パーセントのときがキューティクルの密着性が良い状態となることが推定される。
【００４３】
湿度３０パーセントのときは、恒温恒湿室内の水蒸気量が少な過ぎて毛髪が過乾燥状態となり、キューティクルが開いて平均摩擦係数が湿度４０パーセントのときよりも高くなると考えられる。逆に、湿度５０パーセントや湿度８０パーセントのときは、恒温恒湿室内の水蒸気量が多くて毛髪内部の水分量も多くなると想定されるが、毛髪のキューティクルの開きやうねりによる毛流れに乱れが生じて平均摩擦係数が高くなると考えられる。
【００４４】
ところで、上述した各実験では、毛髪を一定湿度の恒温恒湿室内に一日間放置してあるので、毛髪内部の水分量は周囲の湿度に馴染んでいると推定でき、図６（ａ）、（ｂ）の横軸は毛髪内部の水分量と置き換えることができる。このため、毛髪の水分量を指標としてヘアーブラシ１の制御を行っても、キューティクルの状態を正確に検知することはできないことが理解される。
【００４５】
そこで、本実施形態では、上述したように、毛髪の平均摩擦係数を指標として用いることで、キューティクルのより正確な状態（毛髪のより正確な乾燥状態）を検知できるようにした。
【００４６】
以上説明したように、本実施形態では、制御部８が、摩擦センサ（検知手段）１０で検知した毛髪Ｈの摩擦係数に応じて送風部５および加熱部６のうち少なくともいずれか一方の出力を減少させる（変更する）ように制御している。
【００４７】
具体的には、制御部８による制御は、ブリスル４１に設けた摩擦センサ１０で検知した摩擦係数μを指標とし、この摩擦係数μから求めた平均摩擦係数μ０、μＮを実際の制御に用いている。
【００４８】
すなわち、制御部８は、摩擦センサ１０で検知した毛髪Ｈの摩擦係数μから初期の平均摩擦係数μ０および現在の平均摩擦係数μＮを求め、これら両者の比率（μＮ／μ０）に基づいて送風部５や加熱部６を制御するようになっている。このように、キューティクルの状態（毛髪の乾燥状態）の指標となる毛髪Ｈの摩擦係数μを用いることで、毛髪Ｈに部分的に過剰な水分が付着している場合であっても、付着した水分の影響を受けることなく毛髪Ｈのより正確なキューティクルの開閉状態（毛髪の乾燥状態）を検知できるようになる。
【００４９】
その結果、毛髪Ｈの過乾燥をより確実に抑制することができるようになる。
【００５０】
そして、毛髪Ｈの過乾燥を抑制することで、毛髪Ｈにそれ以上のダメージが与えられてしまうのが抑制され、毛髪Ｈをスムーズに梳くことができるようになる。
【００５１】
また、本実施形態によれば、制御部８は、現在の平均摩擦係数μＮが、使用開始時に検知した初期の平均摩擦係数μ０に対して所定の比率Ｘ（（５／８）μ０）に達した際に、送風部５と加熱部６とを停止するようにしている。その結果、温風の吹き出しが停止するため、毛髪Ｈが乾燥し過ぎてしまうのが抑制され、毛髪Ｈの過乾燥をより効果的かつ正確に抑制することができる。
【００５２】
また、本実施形態では、送風部５と加熱部６とをＯＦＦにする際に、加熱部６の２つのヒータ６１、６２のうち一方のみを先行してＯＦＦにするとともに、送風部５をデューティ制御して、段階的に温風を弱めるようにしている。その結果、より緻密な温風制御が可能となって毛髪Ｈの過乾燥をより精度良く抑制できる。このように、送風部５と加熱部６とを停止する際にいきなりＯＦＦにするのではなく段階的にＯＦＦにすることで、段階的な温風制御が可能となり、使用者に前もって報知することができる。
【００５３】
（第１実施形態の変形例）
本変形例にかかるディフューザー付髪ケア装置１Ａは、ヘアドライヤー型をしており、空洞となったハウジング２Ａ内が送風流路２１となっている。この送風流路２１内には、上記第１実施形態と同様にファン５１とモータ５２とを備える送風部５と、第１ヒータ６１と第２ヒータ６２とを備える加熱部６が配置されている。
【００５４】
そして、制御部８およびタイマー８１は、ハウジング２Ａに対して回動可能に取り付けられたグリップ３Ａ内に収納されており、グリップ３Ａにはスイッチ７が設けられている。
【００５５】
さらに、本変形例では、ハウジング２Ａの一端側に吸気口２２が設けられ、ハウジング２Ａの他端側が大きく開口しており、この開口部が送風口２３となっている。また、送風口２３にはラッパ状のディフューザー２４が取り付けられており、このディフューザー２４によって送風口２３から吹き出す送風（温風を含む）を拡散するようにしている。
【００５６】
ディフューザー２４の送風側先端には複数のブリスル４１が送風方向に沿って突設されており、ブリスル４１に摩擦係数を検知する摩擦センサ１０が設けられている。
【００５７】
そして、本変形例にあっても、上記第１実施形態の図３〜図５に示す制御が制御部８にて行われるようにしている。
【００５８】
以上の本変形例によっても、上記第１実施形態のヘアーブラシ１とほぼ同様の作用、効果を奏することができる。
【００５９】
（第２実施形態）
本実施形態にかかるヘアーブラシ（髪ケア装置）１は、上記第１実施形態のヘアーブラシ１と同様の構成をしている。ここで、本実施形態においては、制御部８にて行われる制御が上記第１実施形態とは異なっている。
【００６０】
以下、本実施形態における制御について、図８のフローチャートおよび図９のタイミングチャートに基づき説明する。
【００６１】
本実施形態の制御部８による制御は、基本的には上記第１実施形態の制御部８による制御とほぼ同様であるが、第１実施形態における制御と主に異なる点は、最終的に送風部５および加熱部６をＯＦＦにする際に、加熱部６の出力を送風部５に先行して停止（ＯＦＦ）する点にある。すなわち、本実施形態では、加熱部６をＯＦＦにして所定時間が経過した後に、送風部５の出力を停止（ＯＦＦ）するようにしている。
【００６２】
具体的には、本実施形態における制御は、図８に示すように、ステップＳ１〜Ｓ５は上記第１実施形態と同様の処理が実行される。すなわち、スイッチ７をＯＮにすることで、送風部５および加熱部６がＯＮとなり、タイマー８１のスタートと摩擦係数μの読み込みを行う。その後、所定時間が経過した後に平均摩擦係数μ０、μＮを演算し、μＮ／μ０の値と所定の比率Ｘとを比較する。
【００６３】
ここまでは、ステップＳ１〜Ｓ５の処理であるが、ステップＳ５によってμＮ／μ０の値が所定の比率Ｘに達した場合は、まず、加熱部６のみをＯＦＦにするとともに、タイマーをスタートする（ステップＳ１０）。このときタイマーは、Ｔ２秒を起点にカウントする。そして、タイマーが所定時間ｔｎを経過したかどうかを判断（ステップＳ１１）し、経過した場合（ＹＥＳ）は送風部５をＯＦＦにし、スイッチ７をＯＦＦにする（ステップＳ１２）。このときの経過時間はＴ３（＝Ｔ２＋ｔｎ）秒となる。
【００６４】
なお、本実施形態にあっても、ステップＳ１０における加熱部６のＯＦＦの際には、上記第１実施形態の図５に示すような制御が行われる。すなわち、本実施形態にあっても、加熱部６および送付部５のＯＦＦは、図９のタイミングチャートに示すように緻密な制御が行われる。
【００６５】
具体的には、図９のタイミングチャートに示すように、ヘアーブラシ１のスイッチ７をＯＮにした時点をＴ０秒とすると、その後（Ｔ０＋１０）秒の間で施術初期の平均摩擦係数μ０を求め、その後、施術時の平均摩擦係数μＮの演算を開始するようにしている。
【００６６】
そして、Ｔ１秒後にμ０に対するμＮの比率Ｘが（６／８）μ０となった時点で、加熱部６のうち第２ヒータ６２（第１ヒータ６１でもよい）のみをＯＦＦにし、送風部５はＯＮ・ＯＦＦを所定時間毎に繰り返すデューティ制御を行う。これにより、加熱部６の発熱量および送風量が減少して温風の吹き出し量が減少し、毛髪Ｈの乾燥をより確実に抑制できるようにしている。
【００６７】
そして、この状態でさらに毛髪Ｈの乾燥が促進して、Ｔ２秒後にμ０に対するμＮの比率Ｘが（５／８）μ０となった際には、その時点で残りの第１ヒータ６１を完全にＯＦＦにする。この時点では送風部５ではデューティ制御が継続しており、ヘアーブラシ１は冷風が吹き出している状態となる。なお、先行して第１ヒータ６１をＯＦＦにした場合は、残りの加熱部６は第２ヒータ６２となる。
【００６８】
そして、加熱部６の第１ヒータ６１および第２ヒータ６２を完全にＯＦＦにした後、所定時間ｔｎが経過したＴ３で送風部５がＯＦＦとなり、ヘアーブラシ１からの送風（温風もしくは冷風の吹き出し）が停止する。
【００６９】
以上の本実施形態によっても、上記第１実施形態と同様の作用、効果を奏することができる。
【００７０】
また、本実施形態によれば、最終的に送風部５および加熱部６をＯＦＦにする（送風部５および加熱部６の出力を停止する）際に、加熱部６の出力を送風部５に先行してＯＦＦにし、加熱部６をＯＦＦにして所定時間が経過した時点で送風部５をＯＦＦにするようにしている。したがって、加熱部６をＯＦＦにした後に暫くは冷風の吹き出しが続くため、温風で温められた毛髪Ｈを冷風で冷却する時間を設けることができ、毛髪Ｈをより効率良くセットすることができる。
【００７１】
また、加熱部６のＯＦＦ後、所定時間ＯＮ状態となっている送風部５はデューティ制御が行われている。そのため、冷風の吹き出し量が抑えられ、毛髪Ｈに乱れが生ずるのを抑えつつ綺麗にセットすることができるようになる。
【００７２】
なお、上記第１実施形態の変形例（図７参照）に示したディフューザー付髪ケア装置１Ａに本実施形態の制御を適用することも可能である。
【００７３】
（第３実施形態）
本実施形態にかかるヘアーブラシ（髪ケア装置）１は、上記第１実施形態のヘアーブラシ１と同様の構成をしている。ここで、本実施形態においては、上記第２実施形態の制御部８にて行われる制御をさらに緻密化した制御が制御部８にて行われている。
【００７４】
以下、本実施形態における制御について、図１０のタイミングチャートに基づき説明する。
【００７５】
本実施形態の制御部８による制御は、基本的には上記第２実施形態の制御部８による制御とほぼ同様である。すなわち、最終的に送風部５および加熱部６をＯＦＦにする際に、加熱部６の出力を送風部５に先行してＯＦＦにし、所定時間が経過した後に送風部５の出力をＯＦＦにするようにしている。また、加熱部６のＯＦＦは、経過時間Ｔ１で第２ヒータ６２を先行してＯＦＦにした後、経過時間Ｔ２で第１ヒータ６２をＯＦＦにするようになっている。そして、加熱部６のＯＦＦ後、所定時間が経過した時点で送風部５をＯＦＦにするようにしている。
【００７６】
ここで、本実施形態では、加熱部６（第１ヒータ６１、第２ヒータ６２）および送風部５を徐々に停止するようにしている。具体的には、図１０のタイミングチャートに示すように、第２ヒータ６２は、Ｔ１秒で停止が判断されると、一定時間Δｔ１をかけて停止するように制御される。すなわち、第２ヒータ６２は徐々に停止することとなる。また、同様に第１ヒータ６１は、Ｔ２秒で停止が判断されると、一定時間Δｔ２をかけて停止するように制御され、この第１ヒータ６１も徐々に停止することとなる。
【００７７】
一方、送風部５は、第２ヒータ６２の停止を判断するＴ１秒の時点でデューティ制御が始まるが、本実施形態では、デューティ制御のＯＮ・ＯＦＦ間隔を時間の経過に伴って徐々に狭めていくようにしている。そして、送風部５は、経過時間Ｔ３秒で停止が判断されてから所定時間Δｔ３だけ運転される。この所定時間Δｔ３の間は、ＯＮ・ＯＦＦ間隔が最も狭いデューティ制御となり、その後、送風部５は、Ｔ４秒の時点で停止することとなる。このように、送風部５も徐々に停止することとなる。
【００７８】
以上の本実施形態によっても、上記第２実施形態と同様の作用、効果を奏することができる。
【００７９】
また、本実施形態によれば、送風部５および加熱部６を停止させる際に徐々に停止させるようにしているため、風量および加熱を徐々に低下させることができる。その結果、使用者は、風量や温風温度の低下を感じ取ることができ、ヘアーブラシ１から温風が吹き出されなくなるのを前もって知ることができる。
【００８０】
なお、上記第１実施形態の変形例（図７参照）に示したディフューザー付髪ケア装置１Ａに本実施形態の制御を適用することも可能である。
【００８１】
（第４実施形態）
本実施形態にかかるヘアーブラシ（髪ケア装置）１は、上記第１実施形態のヘアーブラシ１と同様の構成をしている。ここで、本実施形態においては、制御部８にて行われる制御が上記第２実施形態とは異なっている。
【００８２】
以下、本実施形態における制御について、図１１のフローチャートおよび図１２のタイミングチャートに基づき説明する。なお、本実施形態においては、加熱部６の第２ヒータ６２および送風部５が徐々に停止するように制御部８が制御するものを例示する。
【００８３】
本実施形態の制御部８による制御は、基本的には上記第２実施形態の制御部８による制御とほぼ同様であるが、第２実施形態における制御と主に異なる点は、摩擦センサ１０によって施術時の摩擦係数μが所定時間検知されない場合には、送風部５および加熱部６を停止（ＯＦＦ）するようにした点にある。
【００８４】
具体的には、本実施形態における制御は、図１１に示すように、ステップＳ１〜Ｓ５およびステップＳ１０〜１２は上記第２実施形態と同様の処理が実行される。すなわち、スイッチ７をＯＮにすることで、送風部５および加熱部６がＯＮとなり、タイマー８１のスタートと摩擦係数μの読み込みを行う。その後、所定時間が経過した後に平均摩擦係数μ０、μＮを演算し、μＮ／μ０の値と所定の比率Ｘとを比較する。そして、ステップＳ５によってμＮ／μ０の値が所定の比率Ｘに達した場合は、まず、加熱部６のみをＯＦＦにするとともに、タイマーをスタートする（ステップＳ１０）。このときタイマーは、Ｔ２秒を起点にカウントする。そして、タイマーが所定時間ｔｎを経過したかどうかを判断（ステップＳ１１）し、経過した場合（ＹＥＳ）は送風部５をＯＦＦにし、スイッチ７をＯＦＦにする（ステップＳ１２）。
【００８５】
ここで、本実施形態では、ステップＳ４とステップＳ５との間に、摩擦係数μが所定時間計測されなくなったことを判断する処理が挿入されている。すなわち、μ０およびμＮを演算（ステップＳ４）した後、摩擦センサ１０で計測された現在の平均摩擦係数μがゼロになったかどうか、つまり、摩擦センサ１０で摩擦係数μの計測が行われなくなったかどうかを判断する（ステップＳ２０）。そして、計測が行われなくなった場合（ＹＥＳ）は、タイマーがスタート（ステップＳ２１）し、摩擦係数μの計測が行われなくなってからの時間ｔｆをタイマーによってカウント（ステップＳ２２）する。
【００８６】
一方、摩擦センサ１０で摩擦係数μの計測が通常通り行われている場合（ＮＯ）はステップＳ５に進み、μ０に対するμＮの比率を求めることになり、以下、ステップＳ１０〜Ｓ１２の処理がなされる。
【００８７】
ステップＳ２２では、カウントした時間ｔｆが予め設定した１０秒に満たない場合（ＮＯ）は、計測が連続して行われない時間が１０秒に達するまでステップＳ２０にリターンする。そして、計測が連続して行われない時間が１０秒に達した場合（ＹＥＳ）は、ステップＳ１０に進んで加熱部６および送風部５をＯＦＦにすることになる。
【００８８】
すなわち、摩擦センサ１０による計測が１０秒以上連続して行われない場合は、図１２のタイミングチャートに示すように、加熱部６および送風部５の以後の稼働を停止するようにしている。このタイミングチャートでは、第２ヒータ６２をＯＦＦ処理する起点となる経過時間Ｔ１秒の暫く後の経過時間Ｔｆ秒で摩擦センサ１０による計測が行われなくなった場合を例示している。
【００８９】
そして、摩擦センサ１０による計測が１０秒以上連続して行われない場合は、経過時間Ｔｆ秒から１０秒経った時点（Ｔｆ＋１０）で、停止していない第１ヒータ６１をＯＦＦにし、その後、所定時間Δｔ３が経過した時点で（Ｔｆ＋１０＋Δｔ３）、デューティ制御中である送風部５をＯＦＦにすることになる。本実施形態では、経過時間Ｔｆ秒から１０秒経った時点（Ｔｆ＋１０）秒が、上記第３実施形態におけるＴ２秒となる。
【００９０】
なお、通常の使用時には、上記第２実施形態や第３実施形態で示した、図９や図１０のタイミングチャートとほぼ同様の制御が行われることとなる。本実施形態では、第１ヒータ６１および第２ヒータ６２のうち第２ヒータ６２のみが徐々に停止するようにした点が、上記第２実施形態や第３実施形態と主に異なっている。
【００９１】
また、加熱部６および送風部５が停止した後でも、再度スイッチ７を入れ直せば、ヘアーブラシ１を再稼働させることができる。
【００９２】
以上の本実施形態によっても、上記第２実施形態と同様の作用、効果を奏することができる。
【００９３】
また、本実施形態によれば、制御部８は、摩擦センサ（検知手段）１０が摩擦係数μを検知しない場合に、送風部５の出力と加熱部６の出力とを停止するように制御している。すなわち、本実施形態にかかるヘアーブラシ（髪ケア装置）１は、加熱部６および送風部５を停止するフェールセーフ機能を備えることになり、より安全性を高めることができるようになる。また、摩擦センサ（検知手段）１０が毛髪Ｈと接触していないのに、送風部５と加熱部６が駆動しているという事態の発生を抑制することができる。
【００９４】
また、本実施形態によれば、摩擦センサ１０による計測が所定時間（１０秒以上）連続して行われない場合に、加熱部６および送風部５の出力を停止するようにしている。そのため、摩擦センサ１０による計測が行われなくなった場合であっても、ただちに送風が停止するわけではなく、摩擦係数μを検知しない時間が所定時間（１０秒）内であれば、使用の途中で送風が停止してしまうのを抑制することができる。その結果、毛髪Ｈを乾燥させる際に、ヘアーブラシ（髪ケア装置）１を少し移動させる必要がある場合に、途中で送風が停止してしまうのが抑制され、頭部の毛髪Ｈ全体をより確実に乾燥させることができる。
【００９５】
このように、本実施形態によれば、ヘアーブラシ（髪ケア装置）１が誤作動してしまうのを抑制することができる。
【００９６】
また、上記第１実施形態の変形例（図７参照）に示したディフューザー付髪ケア装置１Ａに本実施形態の制御を適用することも可能である。
【００９７】
（第５実施形態）
本実施形態にかかるヘアーブラシ（髪ケア装置）１は、上記第１実施形態のヘアーブラシ１と同様の構成をしている。ここで、本実施形態においては、制御部８にて行われる制御が上記第４実施形態とは異なっている。
【００９８】
以下、本実施形態における制御について、図１３のフローチャートおよび図１４のタイミングチャートに基づき説明する。なお、本実施形態においても、加熱部６の第２ヒータ６２および送風部５が徐々に停止するように制御部８が制御するものを例示する。
【００９９】
本実施形態の制御部８による制御は、基本的には上記第４実施形態の制御部８による制御と同様に、摩擦センサ１０によって施術時の摩擦係数μが所定時間検知されない場合には、送風部５および加熱部６を停止（ＯＦＦ）するようにしている。
【０１００】
ここで、本実施形態の制御部８による制御が、上記第４実施形態の制御部８による制御と主に異なる点は、摩擦センサ１０によって施術時の摩擦係数μが所定時間検知されない場合には、送風部５および加熱部６をほぼ同時に停止（ＯＦＦ）するようにした点にある。すなわち、本実施形態では、通常使用時における送風部５および加熱部６の停止と、摩擦係数μが所定時間検知されない場合における送風部５および加熱部６の停止とを別個に制御するようにしている。
【０１０１】
具体的には、本実施形態における制御は、図１３に示すように、ステップＳ１〜Ｓ５およびステップＳ１０〜１２は上記第４実施形態と同様の処理が実行される。すなわち、スイッチ７をＯＮにすることで、送風部５および加熱部６がＯＮとなり、タイマー８１のスタートと摩擦係数μの読み込みを行う。その後、所定時間が経過した後に平均摩擦係数μ０、μＮを演算し、μＮ／μ０の値と所定の比率Ｘとを比較する。そして、ステップＳ５によってμＮ／μ０の値が所定の比率Ｘに達した場合は、まず、加熱部６のみをＯＦＦにするとともに、タイマーをスタートする（ステップＳ１０）。このときタイマーは、Ｔ２秒を起点にカウントする。そして、タイマーが所定時間ｔｎを経過したかどうかを判断（ステップＳ１１）し、経過した場合（ＹＥＳ）は送風部５をＯＦＦにし、スイッチ７をＯＦＦにする（ステップＳ１２）。
【０１０２】
そして、μ０およびμＮを演算（ステップＳ４）した後、摩擦センサ１０で計測された現在の平均摩擦係数μがゼロになったかどうか、つまり、摩擦センサ１０で摩擦係数μの計測が行われなくなったかどうかを判断する（ステップＳ２０）。そして、計測が行われなくなった場合（ＹＥＳ）は、タイマーがスタート（ステップＳ２１）し、摩擦係数μの計測が行われなくなってからの時間ｔｆをタイマーによってカウント（ステップＳ２２）する。
【０１０３】
一方、摩擦センサ１０で摩擦係数μの計測が通常通り行われている場合（ＮＯ）はステップＳ５に進み、μ０に対するμＮの比率を求めることになり、以下、ステップＳ１０〜Ｓ１２の処理がなされる。
【０１０４】
ステップＳ２２では、カウントした時間ｔｆが予め設定した１０秒に満たない場合（ＮＯ）は、計測が連続して行われない時間が１０秒に達するまでステップＳ２０にリターンする。そして、計測が連続して行われない時間が１０秒に達した場合（ＹＥＳ）は、ステップＳ２３に進んで加熱部６をＯＦＦにし、ステップＳ１２に進んで送風部５を加熱部６とほぼ同時にＯＦＦにすることになる。
【０１０５】
すなわち、摩擦センサ１０による計測が１０秒以上連続して行われない場合は、図１４のタイミングチャートに示すように、加熱部６および送風部５の以後の稼働を停止するようにしている。このタイミングチャートでも、第２ヒータ６２をＯＦＦ処理する起点となる経過時間Ｔ１秒の暫く後の経過時間Ｔｆ秒で摩擦センサ１０による計測が行われなくなった場合を例示している。
【０１０６】
そして、摩擦センサ１０による計測が１０秒以上連続して行われない場合は、経過時間Ｔｆ秒から１０秒経った時点（Ｔｆ＋１０）で、停止していない第１ヒータ６１をＯＦＦにし、ほぼ同時にデューティ制御中である送風部５をＯＦＦにすることになる。
【０１０７】
なお、通常の使用時には、上記第２実施形態や第３実施形態で示した、図９や図１０のタイミングチャートとほぼ同様の制御が行われることとなる。すなわち、通常使用時には、最終的に送風部５および加熱部６をＯＦＦにする際に、加熱部６の出力を送風部５に先行して停止（ＯＦＦ）させるようになっている。また、本実施形態においても、第１ヒータ６１および第２ヒータ６２のうち第２ヒータ６２のみが徐々に停止するようにした点が、上記第２実施形態や第３実施形態と主に異なっている。
【０１０８】
また、加熱部６および送風部５が停止した後でも、再度スイッチ７を入れ直せば、ヘアーブラシ１を再稼働させることができる。
【０１０９】
以上の本実施形態によっても、上記第４実施形態と同様の作用、効果を奏することができる。
【０１１０】
また、本実施形態によれば、摩擦センサ１０によって施術時の摩擦係数μが所定時間検知されない場合に、送風部５および加熱部６をほぼ同時に停止（ＯＦＦ）するようにしたため、より一層安全性を高めることができるようになる。
【０１１１】
なお、上記第１実施形態の変形例（図７参照）に示したディフューザー付髪ケア装置１Ａに本実施形態の制御を適用することも可能である。
【０１１２】
（第６実施形態）
本実施形態にかかるヘアーブラシ（髪ケア装置）１Ｂは、基本的に上記第１実施形態のヘアーブラシ１（図１参照）と同様であり、送風流路２１の下流側となるブラシ部４にブリスル４１が設けられ、このブリスル４１に摩擦センサ１０が配置されている。
【０１１３】
ここで、本実施形態のヘアーブラシ１Ｂが上記第１実施形態のヘアーブラシ１と主に異なる点は、ブリスル４１に髪梳き状態にある毛髪Ｈを保持する保持部材１００を設けた点にある。また、本実施形態では、摩擦センサ１０をブリスル４１の設置面４ａに配置している。
【０１１４】
保持部材１００は、図１５（ａ）に示すように、設置面４ａの把持部３側となる一端部に設けた支軸１０１に回動可能に取り付けられており、支軸１０１への取付部からブラシ部４の先端方向に細長い毛髪保持部１０２が延設されている。
【０１１５】
支軸１０１に対して毛髪保持部１０２とは反対側の基端部が操作部１０４になっており、支軸１０１が設けられた支持片１０３がハウジング２に取り付けられている。本実施形態では、保持部材１００は、毛髪保持部１０２が設置面４ａに近接する方向（図１５（ａ）における時計回り方向）に付勢されている。
【０１１６】
そして、操作部１０４を支持片１０３側に押し込むことで、図１５（ｂ）に示すように、毛髪保持部１０２が大きく開かれる。一方、操作部１０４の押し込み力を解除すれば、保持部材１００は、付勢力によって図１５（ａ）に示す状態となるように閉じられる。
【０１１７】
本実施形態にかかるヘアーブラシ１Ｂを使用する際には、指で操作部１０４を押圧して、図１５（ｂ）に示すように、毛髪保持部１０２を開き、この状態で毛髪Ｈをブリスル４１間に取り込む。そして、毛髪Ｈを取り込んだ後は、操作部１０４から指を離すことにより、毛髪保持部１０２を図１５（ａ）に示すように閉じ、設置面４ａとの間に毛髪Ｈを挟み込んで保持する。
【０１１８】
その後は、上記第１実施形態と同様の方法で毛髪Ｈを梳いていくことになる。
【０１１９】
このように、本実施形態のヘアーブラシ１Ｂによれば、ブリスル４１に髪梳き状態にある毛髪Ｈを保持する保持部材１００を設けたため、摩擦センサ１０を設けた設置面４ａと保持部材１００との間に毛髪Ｈを挟み込んで保持することができるようになる。その結果、毛髪Ｈを摩擦センサ１０に密着させることができるようになる。このように、毛髪Ｈを摩擦センサ１０に密着させることで、毛髪Ｈの摩擦係数μをより正確に検知することができるようになり、制御部８による加熱部６と送風部５の制御をより精度良く行うことができる。
【０１２０】
なお、制御部８による加熱部６と送風部５の制御は、上記第１〜第５実施形態で示したいずれかの方法で行うことができる。
【０１２１】
（第６実施形態の変形例）
本変形例においては、上記第１実施形態の変形例（図７参照）に示したものとほぼ同様の構成をしたディフューザー付髪ケア装置１Ｃを用いている。なお、本変形例のディフューザー付髪ケア装置１Ｃは、便宜上、送風部５、加熱部６、スイッチ７および制御部８等を省略して示している。
【０１２２】
そして、本変形例においても、上記第６実施形態と同様に、ブリスル４１に髪梳き状態にある毛髪Ｈを保持する保持部材１００を設けている。この保持部材１００の構造は、基本的に上記第６実施形態で示したものと同様の構成をしている。具体的には、図１６（ａ）に示すように、ブリスル４１の設置面４ｂに摩擦センサ１０が配置されており、この設置面４ｂの一端部に設けた支軸１０１に毛髪保持部１０２が回動可能に取り付けられている。また、操作部１０４を押し込むことで、図１６（ｂ）に示すように、毛髪保持部１０２が開かれるようになっている。そして、操作部１０４の押し込み力を解除することで、付勢力によって図１６（ａ）に示すように閉じられる。
【０１２３】
また、制御部８による加熱部６と送風部５の制御は、上記第１〜第５実施形態で示したいずれかの方法で行っている。
【０１２４】
以上の、本変形例によっても、上記第６実施形態と同様の作用、効果を奏することができる。
【０１２５】
以上、本発明の好適な実施形態について説明したが、本発明は上記実施形態には限定されず、種々の変形が可能である。
【０１２６】
例えば、上記各実施形態では、髪ケア装置としてヘアーブラシやディフューザー付髪ケア装置を例示したが、これに限ることなく、送風通路に送風部および加熱部を備えた髪ケア装置であれば本発明を適用することができる。
【０１２７】
また、上記各実施形態では、加熱部を、第１ヒータと第２ヒータとで構成したものを例示したが、単一のヒータであってもよく、また、３基以上のヒータを備えていてもよい。なお、３基以上のヒータを備える場合、各ヒータを個々に制御するのが好ましい。
【０１２８】
また、上記各実施形態では、施術初期の平均摩擦係数に対する施術時の平均摩擦係数の比率が所定値になった場合に、送風部および加熱部の両者をＯＦＦするようにしたものを例示したが、送風部および加熱部のうち少なくともいずれか一方をＯＦＦするように制御してもよい。
【０１２９】
また、上記各実施形態では、摩擦センサが、複数突設したブリスルの略中央部に１箇所設けられているものを例示したが、複数の摩擦センサをブリスル全体に散在するように設けてもよい。
【０１３０】
また、上記各実施形態では、乾燥終了時における送風部と加熱部の制御を主として説明したが、乾燥開始時や乾燥最中に送風部や加熱部を制御するようにしてもよい。
【０１３１】
また、ブラシ部やブリスル、その他細部のスペック（形状、大きさ、レイアウト等）も適宜変更することが可能である。
【符号の説明】
【０１３２】
１、１Ｂ  ヘアーブラシ（髪ケア装置）
１Ａ、１Ｃ  ディフューザー付髪ケア装置（髪ケア装置）
２、２Ａ  ハウジング
２１  送風流路
４  ブラシ部
４１  ブリスル
５  送風部
６  加熱部
８  制御部
１０  摩擦センサ（検知手段）
１００  保持部材
Ｈ  毛髪
【図１】
2012239615.tif 000003
【図２】
2012239615.tif 000004
【図３】
2012239615.tif 000005
【図４】
2012239615.tif 000006
【図５】
2012239615.tif 000007
【図６】
2012239615.tif 000008
【図７】
2012239615.tif 000009
【図８】
2012239615.tif 000010
【図９】
2012239615.tif 000011
【図１０】
2012239615.tif 000012
【図１１】
2012239615.tif 000013
【図１２】
2012239615.tif 000014
【図１３】
2012239615.tif 000015
【図１４】
2012239615.tif 000016
【図１５】
2012239615.tif 000017
【図１６】
2012239615.tif 000018